(57)【要約】【課題】移動体通信用の無線機に使用されるアンテナおよびその製造方法に関し、ヘリカルコイル式のアンテナよりも第二アンテナに共振周波数特性が近くて調整が容易な第一アンテナを備えたものを提供する。【解決手段】第一アンテナ１４の絶縁樹脂製の棒状体１３で固定された第一アンテナ素子１１は、メアンダ状のものが、複数の等間隔の水平方向に並んだ細帯状部１１Ａが上面視円筒状となるように、上記細帯状部１１Ａの中間部分に設けられた第二連結部１１Ｄを境として逆方向のアーチ状に曲げられて、その円筒状の外周面上をほぼ一周する位置で上下に隣り合う細帯状部１１Ａの左右の第一連結部１１Ｃどうしが、互いに絶縁を保つ入れ子状に配置されるように曲げて構成してある。【選択図】  図１
2005033363.tif 000002
【特許請求の範囲】
【請求項１】
無線機に搭載され、収納状態時に機能する第一アンテナと伸長状態時に機能する直線状部材製の第二アンテナとが結合されて構成されるホイップ式のアンテナであって、上記第一アンテナにおける第一アンテナ素子として、細帯状部どうしが端部で左右交互に繋がれたメアンダ状のものが、固定される棒状体に対し、上記各細帯状部を周面方向に沿わされるように曲げられて固定され、かつ上記メアンダ状のものは、上記棒状体外周の軸線方向に対応する上下方向に、上記左右の端部どうしが入れ子状態で配置可能である形状となされたアンテナ。
【請求項２】
第一アンテナにおける第一アンテナ素子は、一対ごとの細帯状部の一端部同士が第一連結部によって繋がれて形成される略コの字状のものが、開口部側を仮想中央直線上に合わせて上下方向に所定ピッチで、かつ上記第一連結部が上記仮想中央直線に対し左右交互に位置するように配されると共に、上下で隣り合う上記コの字状のもの同士の他端部間を、上記仮想中央直線に沿う第二連結部で連結したメアンダ状のものであり、固定される棒状体の周面方向に沿わされるように、上記左右の第一連結部側が相反する方向に向けて曲げられて固定された請求項１記載のアンテナ。
【請求項３】
第一アンテナ素子の略コの字状のものが左右同形で、かつ曲げ状態も同じである請求項２記載のアンテナ。
【請求項４】
第一アンテナ素子が、良導電性の金属薄板が加工されて構成され、その第一アンテナ素子をインサート成形して絶縁樹脂からなる棒状体のコア部に固定してある請求項１記載のアンテナ。
【請求項５】
良導電性の帯状の金属薄板に対し、コの字状スリット孔とそのコの字の開口部を通る直線状スリット孔とが一組となり、それを複数組、コの字の開口部位置を一つの直線上に沿わせて、同一ピッチに上下に並べて打ち抜き加工すると共に、上記コの字状スリット孔および直線状スリット孔からなる上記一組同士の間に段付きスリット孔を打ち抜き加工する工程と、金属薄板面に対し、上記一つの直線状スリット孔の上下に位置する細帯状部となる部分を一対で同方向に、かつ上記隣り合う直線状スリット孔ごと同士では相反する方向にアーチ状に曲げ加工する工程と、そのアーチ状に曲げ加工されて形成された上記複数の細帯状部を絶縁性樹脂でインサート成形により固定した後、上記コの字状スリット孔側で繋がった部分を切断加工すると共に、上記コの字状スリット孔とは反対の上記直線状スリット孔間に設けられた上記段付きスリット孔側部において桟部に繋がった部分を、所定幅で残して切断加工し、異なる方向に曲げられた細帯状部同士の上下間を繋ぐ第二連結部を形成して第一アンテナ素子となす工程とを備えた請求項２記載のアンテナの製造方法。
【請求項６】
第一アンテナにおける第一アンテナ素子は、上下で隣り合う細帯状部同士の一方は右上がりの直線状、他方は左上がりの直線状で、かつそれらがジグザグ状になるように、左右の端部同士を、くの字状に交互に繋がれると共に、固定される棒状体の周面方向に沿わされるように、上記左右の端部側が相反する方向に向けて曲げられて固定された請求項１記載のアンテナ。
【請求項７】
筒状に維持された可撓性フィルムに、第一アンテナ素子の形状に即する導体層が構成された請求項１記載のアンテナ。
【発明の詳細な説明】
【０００１】
【発明の属する技術分野】
本発明は、主として移動体通信用の無線機に使用されるアンテナおよびその製造方法に関するものである。
【０００２】
【従来の技術】
近年、携帯電話やＰＤＡ等の移動体通信用の無線機の普及はめざましく、そのような無線機の代表として挙げられる携帯電話は、小型化されると共に、通信情報量や通話量の増大に伴い、回線接続の機会を増すため、より多くの無線チャンネルで送受信可能なマルチバンド対応の形態のものが普及している。
【０００３】
そして、上記のような携帯電話において、特に国内では、複数の周波数帯で送受信可能に対応しているホイップ式のアンテナを備えたものが主流となっている。
【０００４】
このホイップ式のアンテナは、アンテナ収納状態で機能するように先端部に構成された第一アンテナと、アンテナ伸長時に機能する根元側の直線状部材からなる第二アンテナとが、一体に結合されて構成されているものである。
【０００５】
そして、この携帯電話などに搭載されるアンテナにおいても、通話量や通信情報量の増大に伴い、さらなる小型化や、複数の周波数帯で感度良く送受信できるものが要望されている。
【０００６】
以下に、このような携帯電話などに搭載される従来のホイップ式のアンテナについて、図１１〜図１２を用いて説明する。
【０００７】
図１１は従来のアンテナの正面図、図１２は同断面図であり、同図において、１は、コイル状に形成された良導電性材料である銅または銅合金からなるヘリカルアンテナ素子、２はそのヘリカルアンテナ素子１の下端に接続された給電用接続部で、上記ヘリカルアンテナ素子１を絶縁樹脂製のコア部３Ａ周囲に配し、その外周をカバー３Ｂで覆って第一アンテナ４が構成されている。
【０００８】
そして、上記給電用接続部２の下方には、棒状の絶縁体５を介して絶縁チューブ６で覆われた良導電性材料である銅または銅合金からなる直線状の第二アンテナ素子７が結合され、その第二アンテナ素子７の下端には、第二アンテナ素子７に導通状態に抜け止め用のストッパ８が固着されて第二アンテナ９が構成されている。
【０００９】
そして、携帯電話（図示せず）との機械的接続、およびその携帯電話の内部回路と当該アンテナとの電気的接続のために、金属製のホルダ１０が、上記第二アンテナ９をホルダ１０の中孔１０Ａに挿通状態にして組み合わされている。
【００１０】
以上のようにして構成される従来のアンテナは、ホルダ１０を携帯電話の筐体などに固定して搭載され、その使用状態としては、通常、携帯電話に装着されたアンテナを引き伸ばして第二アンテナ９を機能させるようにして使用される。
【００１１】
この場合は、直線状の第二アンテナ素子７が抜け止め用のストッパ８およびホルダ１０を介して無線機の内部回路と接続されてアンテナとして機能する。
【００１２】
また、アンテナを引き伸ばさずに縮めた状態のままでも使用されることもあり、この場合には第一アンテナ４が第一アンテナ素子１下端の給電用接続部２およびホルダ１０を介して無線機の内部回路と接続されてアンテナとして機能するものであった。
【００１３】
そして、上記第二アンテナ９としては、通常、周波数特性および収納性が良好な直線状の素子が用いられ、収納時に機能する第一アンテナ４は、小型化を図るためヘリカルコイル状の素子が用いられることが多かった。
【００１４】
なお、この出願の発明に関連する先行技術文献情報としては、例えば、特許文献１が知られている。
【００１５】
【特許文献１】
特開平１０−２００３１５号公報
【００１６】
【発明が解決しようとする課題】
上記のように複数の周波数帯域で送受信可能となされるアンテナは、通常、インピーダンスが低くて使用機器の回路とのマッチングが取り易く、しかも広帯域となる奇数次の共振周波数帯域を利用することが一般的である。
【００１７】
そして、上記従来のアンテナを搭載する携帯電話においては、引き伸ばし時に使用する直線状の第二アンテナ９の一次および三次共振周波数帯域に合わせて調整された内蔵回路を有するものが多く、これに対して第一アンテナ４は、ヘリカルアンテナ素子１から構成されているため、小型化には有利であるが、ヘリカルコイルに装荷されるコイル成分のリアクタンスのために、一次および三次共振周波数帯域間が、第二アンテナ９のものの間隔よりも狭くなり、コイル状の径やピッチなどを調整して、第二アンテナ９側の共振周波数帯域に合わせ込まなければならず、その設定などに多大な時間などを要するものであった。
【００１８】
本発明は、このような従来の課題を解決するものであり、引き伸ばし時に使用する直線状部材からなる第二アンテナに対し、ヘリカルコイル式のアンテナよりも第二アンテナの共振周波数特性に近い共振周波数特性を有し、特にその三次共振周波数が第二アンテナのそれに近くて整合させ易い第一アンテナを備えたアンテナおよびその製造方法を提供することを目的とする。
【００１９】
【課題を解決するための手段】
上記目的を達成するために本発明は、以下の構成を有するものである。
【００２０】
本発明の請求項１に記載の発明は、無線機に搭載され、収納状態時に機能する第一アンテナと伸長状態時に機能する直線状部材製の第二アンテナとが結合されて構成されるホイップ式のアンテナであって、上記第一アンテナにおける第一アンテナ素子として、細帯状部どうしが端部で左右交互に繋がれたメアンダ状のものが、固定される棒状体に対し、上記各細帯状部を周面方向に沿わされるように曲げられて固定され、かつ上記メアンダ状のものは、上記棒状体外周の軸線方向に対応する上下方向に、上記左右の端部どうしが入れ子状態で配置可能である形状となされたアンテナとしたものであり、第一アンテナ素子としてメアンダ状のものを棒状体の周面に合わせて上記形状で曲げて固定すると、その共振周波数特性は、装荷されるコイル成分のリアクタンスがヘリカルコイルのものよりも小さいものとなり、直線状の第二アンテナの共振周波数特性に近いものにできるため、第一・第二アンテナ間の周波数特性の整合が容易で使用機器の回路部とのマッチング性にも優れるものが容易に実現でき、かつ上記左右の端部どうしを上記入れ子状態に曲げ構成したものは、第一アンテナ外形としてもヘリカルコイル式のものとほぼ同等もしくはそれ以下の大きさのものも実現できるという作用を有する。
【００２１】
請求項２に記載の発明は、請求項１記載の発明において、第一アンテナにおける第一アンテナ素子は、一対ごとの細帯状部の一端部同士が第一連結部によって繋がれて形成される略コの字状のものが、開口部側を仮想中央直線上に合わせて上下方向に所定ピッチで、かつ上記第一連結部が上記仮想中央直線に対し左右交互に位置するように配されると共に、上下で隣り合う上記コの字状のもの同士の他端部間を、上記仮想中央直線に沿う第二連結部で連結したメアンダ状のものであり、固定される棒状体の周面方向に沿わされるように、上記左右の第一連結部側が相反する方向に向けて曲げられて固定されたものであり、請求項１記載の発明による作用に加え、第二連結部を設けてあるため、左右の第一連結部どうしにおける上下方向の距離が余裕を持って確保されたものにでき、左右の第一連結部どうしを、絶縁性を保って入れ子状態に容易に配置できることから、各細帯状部などが長寸法でアンテナ長が長く外形の小さいものを容易に実現できるという作用を有する。
【００２２】
請求項３に記載の発明は、請求項２記載の発明において、第一アンテナ素子の略コの字状のものが左右同形で、かつ曲げ状態も同じであるものであり、第二連結部を境として左右に配置された片側ずつの略コの字状のものを一つの周面上に沿って配し易く、かつ金属板や金属線などを第一アンテナ素子として用いた場合には、曲げ状態に起因して発生する応力なども上記第二連結部を境として左右同等の状態になるため、第一アンテナ素子の固定状態なども安定化しやすくなるという作用を有する。
【００２３】
請求項４に記載の発明は、請求項１記載の発明において、第一アンテナ素子が、良導電性の金属薄板が加工されて構成され、その第一アンテナ素子をインサート成形して絶縁樹脂からなる棒状体のコア部に固定してあるものであり、メアンダ状のものを曲げて構成される第一アンテナ素子を、ピッチや曲げ状態などを維持しつつ、絶縁樹脂のインサート成形によって、容易かつ強固に棒状体に固定したものにでき、特性的にも安定したものが得られるという作用を有する。
【００２４】
請求項５に記載の発明は、良導電性の帯状の金属薄板に対し、コの字状スリット孔とそのコの字の開口部を通る直線状スリット孔とが一組となり、それを複数組、コの字の開口部位置を一つの直線上に沿わせて、同一ピッチに上下に並べて打ち抜き加工すると共に、上記コの字状スリット孔および直線状スリット孔からなる上記一組同士の間に段付きスリット孔を打ち抜き加工する工程と、金属薄板面に対し、上記一つの直線状スリット孔の上下に位置する細帯状部となる部分を一対で同方向に、かつ上記隣り合う直線状スリット孔ごと同士では相反する方向にアーチ状に曲げ加工する工程と、そのアーチ状に曲げ加工されて形成された上記複数の細帯状部を絶縁性樹脂でインサート成形により固定した後、上記コの字状スリット孔側で繋がった部分を切断加工すると共に、上記コの字状スリット孔とは反対の上記直線状スリット孔間に設けられた上記段付きスリット孔側部において桟部に繋がった部分を、所定幅で残して切断加工し、異なる方向に曲げられた細帯状部同士の上下間を繋ぐ第二連結部を形成して第一アンテナ素子となす工程とを備えた請求項２記載のアンテナの製造方法であり、第一アンテナ素子の製作において、金属薄板から第一アンテナ素子を、変形などが生じ難く、かつ連続して生産性高く製造できるという作用を有する。
【００２５】
請求項６に記載の発明は、請求項１記載の発明において、第一アンテナにおける第一アンテナ素子は、上下で隣り合う細帯状部同士の一方は右上がりの直線状、他方は左上がりの直線状で、かつそれらがジグザグ状になるように、左右の端部同士を、くの字状に交互に繋がれると共に、固定される棒状体の周面方向に沿わされるように、上記左右の端部側が相反する方向に向けて曲げられて固定されたものであり、当該構成のものも、請求項１によるものと同様に、第一アンテナ素子が、メアンダ状で、その細帯状部を、固定する棒状体の周面方向に曲げ構成してあるものであるため、共振周波数特性としては、装荷されるコイル成分のリアクタンスがヘリカルコイルのものよりも小さくて直線状の第二アンテナの共振周波数特性に近いものにでき、第一・第二アンテナ間の周波数特性の整合が容易で使用機器の回路部とのマッチング性に優れるものが容易に実現でき、また端部同士を入れ子状態をなすように曲げて配すると外形の小形化も容易に図れるという作用を有する。
【００２６】
請求項７に記載の発明は、請求項１記載の発明において、筒状に維持された可撓性フィルムに、第一アンテナ素子の形状に即する導体層が構成されたものであり、パターン印刷やエッチング処理などにより第一アンテナ素子に対応する形状の導体層を容易に構成でき、可撓性フィルムを巻く筒径などを小さくしても、メアンダ状に形成された端部に対応する導体層同士間においては、介在する可撓性フィルムでさらに絶縁性が保たれ容易に小型化も図れるという作用を有する。
【００２７】
【発明の実施の形態】
以下、本発明の実施の形態について、図１〜図１０を用いて説明する。
【００２８】
なお、従来の技術の項で説明した構成と同一構成の部分には同一符号を付して、詳細な説明を省略する。
【００２９】
（実施の形態１）
実施の形態１を用いて、本発明の特に請求項１〜５記載の発明について説明する。
【００３０】
図１は本発明の第一の実施の形態によるアンテナにおける第一アンテナ素子を透視した要部斜視図であり、図２は同アンテナ全体を示す断面図である。
【００３１】
同図において、１１は、銅または銅合金などの良導電性の金属薄板から従来のヘリカルコイルとは異なる形成に加工されて構成された第一アンテナ素子であり、その下端は、給電用接続部としての給電金具１２に繋がっている。
【００３２】
そして、上記第一アンテナ素子１１は、図２に示すように、絶縁性樹脂からなるコア部１３Ａおよびその外方を覆う外装部１３Ｂで構成された棒状体１３内に固定状態で配され、給電金具１２は、棒状体１３から下方に突出しており、これらで第一アンテナ１４が構成されている。
【００３３】
そして、この第一アンテナ１４の給電金具１２の下方には、棒状の絶縁体１５を介して絶縁チューブ６に覆われた直線状部材からなる第二アンテナ素子７が結合され、その第二アンテナ素子７の下端には、第二アンテナ素子７と電気的に導通状態にストッパ８が固着されて第二アンテナ９が構成されていること、および第二アンテナ９を中孔１０Ａに挿通状態にしてホルダ１０が組み合わされていることは、従来のものの場合と同じである。
【００３４】
そして、本実施の形態１によるアンテナにおいて、第一アンテナ１４の棒状体１３内に固定された第一アンテナ素子１１は、上述したようにヘリカルコイル状のものではなく、図１に示すように、いわゆるメアンダ状のものが、棒状体１３の円柱状に形成されたコア部１３Ａの円周面に沿うように曲げられて、その上面視で略筒状をなすように形成されたものとなっている。
【００３５】
その第一アンテナ素子１１の形状は、平行に伸びた隣り合う一対ごとの細帯状部１１Ａの一端部同士が第一連結部１１Ｃで繋がれて構成された略コの字状部１１Ｅが、各開口部を棒状体１３の軸線方向となる上下に向かう一つの仮想中央直線上に合わせて上下方向に所定ピッチで、しかも、上記仮想中央直線に対し第一連結部１１Ｃ位置が左右交互になるように配置されると共に、開口方向が上下で異なる隣り合うコの字状部１１Ｅ同士の近接する他端部同士が、上記仮想中央直線に沿う直線状の第二連結部１１Ｄで繋がれているメアンダ状で、その左右各々のコの字状部１１Ｅ同士は、上記コア部１３Ａの円周面の略半周ずつを構成するように、互いにアーチ状の曲げ方向が変えられ、両者で上面視一つの略円筒状をなすように曲げられている。
【００３６】
このとき、各第一連結部１１Ｃは、上記コア部１３Ａ外周の軸線方向に平行な一つの仮想中央直線上に配列される第二連結部１１Ｄとは、コア部１３Ａの中心軸線に対して対称位置で、一方側から曲げられた上下に隣り合うコの字状部１１Ｅ同士の間に、他方側から曲げられたコの字状部１１Ｅの第一連結部１１Ｃが円周方向で入り込むようにして曲げられ、各第一連結部１１Ｃどうしは、上下方向で絶縁を保った入れ子状態に配列された状態に構成されている。
【００３７】
上記各第一連結部１１Ｃどうしの入れ子状態に配置された構成にできるのは、上述したようにコの字状部１１Ｅ同士の中間部分に設けた上下に伸びる第二連結部１１Ｄを設けたメアンダ状のものを用いているからである。
【００３８】
つまり、第二連結部１１Ｄの上下間寸法分、上下に隣り合うコの字状部１１Ｅ同士間の間隔が広くできるので、各コの字状部１１Ｅが交互方向に円弧状に曲げられた際に、互いの間では絶縁状態を保ちつつ、左右の第一連結部１１Ｃ同士が入れ子状態に配されたものにでき、この構成のものは、上記コア部１３Ａの外周面上に、その円周一周以上に亘る長さの細帯状部１１Ａのものを配することが可能となる。
【００３９】
このように本実施の形態によれば、第一アンテナ素子１１としては、例えば左側のコの字状部１１Ｅ下方の細帯状部１１Ａ、左側の第一連結部１１Ｃ、左側のコの字状部１１Ｅ上方の細帯状部１１Ａ、第二連結部１１Ｄ、右側のコの字状部１１Ｅ下方の細帯状部１１Ａ、右側の第一連結部１１Ｃ、右側のコの字状部１１Ｅ上方の細帯状部１１Ａ、…という順での上面視円筒状に構成されたメアンダ状のものとなる。
【００４０】
このとき、上記筒状に曲げられたメアンダ状のものは、装荷されるコイル成分のリアクタンスが、ヘリカルコイルにおいて装荷されるコイル成分のリアクタンスよりも少なく、特にその装荷レベルの差は、周波数が高くなるにつれて大きくなるものである。
【００４１】
そして、共振は、上記リアクタンスがゼロとなる周波数で発生するため、その装荷レベルの差により、ヘリカルコイルの共振周波数は、同一長さでのメアンダ状のものよりも低い周波数での共振になり、特に装荷レベルの大きい三次共振周波数などの高次の共振周波数側はその下がり方が大きく、結果として、ヘリカルコイルのものは、一次と三次の共振周波数間が狭くなるという傾向がある。
【００４２】
これに対し、上記メアンダ状のものは、その装荷レベルが小さく、ヘリカルコイルのものよりも一次と三次の共振周波数間が広くて、直線状導体に近い共振特性のものにできるため、第二アンテナ素子７の周波数特性と整合させ易く、かつ使用機器の電気回路とのマッチングも取り易くて感度も向上されたものを容易に実現することができる。
【００４３】
また、上記のようにして、コア部１３Ａ外周面の円周一周以上に亘って細帯状部１１Ａが配せる構成としてあるため、アンテナ長が長く構成できて低い共振周波数のものにでき、一次共振周波数が第二アンテナ９の周波数特性により近いものにできる。
【００４４】
このように、上記メアンダ状のものを筒状に曲げ構成した第一アンテナ素子１１を備えた第一アンテナ１４は、ヘリカルコイル式のアンテナよりも一次と三次の共振周波数間の間隔が広くて第二アンテナ９の周波数特性に近いものにでき、両者の周波数特性を合わせ込むことなどは、ヘリカルコイル式のものより容易である。
【００４５】
また、左右の第一連結部１１Ｃ同士が互いに入り込んだ入れ子状態とすることにより、第一アンテナ素子１１の筒状の径も小さく構成でき、これにより第一アンテナ１４の外形としても、ヘリカルコイル式のアンテナとほぼ同等もしくはそれ以下の外形で、かつヘリカルコイル式のものよりも一次と三次の共振周波数間の間隔が広くて第二アンテナ９の周波数特性により近いものも構成可能である。
【００４６】
なお、上記実施の形態１によるホイップ式のアンテナも、従来のものと同様に無線機に搭載されて使用され、収納状態では第一アンテナ１４を機能させて通信を行う、または伸長状態では直線状部材からなる第二アンテナ９を機能させて通信を行うものであり、共に安定して送受信可能なものとなる。
【００４７】
そして、上記第一アンテナ１４の奇数次の共振周波数間隔は、従来のヘリカルコイル式のものよりも広いものであるため、第一アンテナ素子１１における第二アンテナ９の周波数特性への合わせ込みが容易にできると共に、使用機器における第一および第二アンテナ１４および９共通の電気回路とのマッチングも取り易くて感度的にも優れるものを容易に実現できる。
【００４８】
また、上記に説明した第一アンテナ素子１１のように、相似形のコの字状部１１Ｅ同士が左右交互に配され、その他端部どうしを、上下方向に向かう直線状の第二連結部１１Ｄで繋いだメアンダ形状のものを筒状に曲げて構成すると、左右の第一連結部１１Ｃ同士を深く入れ込む入れ子状態に容易に構成できると共に、当該第二連結部１１Ｄ部分を基準として細帯状部１１Ａの曲げ加工なども行えるようになるため、組み立て作業性も効率良く、簡素に構成できる。
【００４９】
ここで、以上のように構成される実施の形態１によるアンテナにおける第一アンテナの製造方法につき、図３〜図６を用いて説明する。
【００５０】
まず、図３に示すように、銅または銅合金などからなる良導電性の帯状の金属薄板２４をプレス加工機などで打ち抜き加工し、コの字状スリット孔１６とそのコの字の開口部を通る矩形状の直線状スリット孔１７を一組とした複数組のスリット孔が、上下方向に同一ピッチで並べて設けられ、かつ上記コの字状スリット孔１６と直線状スリット孔１７からなる組同士それぞれの間に段付きスリット孔１８を設けたものを形成する。
【００５１】
この段付きスリット孔１８は、左側が直線状スリット孔１７に平行で、隣り合うコの字状スリット孔１６同士の中間位置に設けられた細幅部、そして中間段部を介して右側が、上記細幅部を中心に上下方向に同一寸法で幅広に構成された太幅部で構成され、この細幅部と太幅部の間の中間段部は、上下方向に平行に構成されている。
【００５２】
そして、上記打抜き加工後において、直線状スリット孔１７上下外方の平行かつ所定ピッチに同一幅で残る部分が、前述の細帯状部１１Ａに形成されるものとなる部分に相当し、その左側部分は、その各コの字状スリット孔１６と各直線状スリット孔１７との間の残部部分で、またそれ以外の部分は、各直線状スリット孔１７と各段付きスリット孔１８の太幅部との間の残部部分で構成される。
【００５３】
また、各コの字状スリット孔１６と各直線状スリット孔１７との間の残部部分において、上記各コの字状スリット孔１６の開口側の逆方向に残る部分は、一対の細帯状部１１Ａ同士を繋ぐ第一連結部１１Ｃとなる部分に相当する。
【００５４】
さらに、上記直線状スリット孔１７の右方向への長さは、段付きスリット孔１８の太幅部右端よりも右側に長い形状のもので構成されており、右桟部１９に繋がった段付きスリット孔１８右端の周囲部分が、前述した左右交互に曲げ加工されている隣り合うコの字状部１１Ｅの他端部間を上下方向に繋ぐ第二連結部１１Ｄに形成される部分となる。
【００５５】
また、上記打抜き加工により、コの字状スリット孔１６と段付きスリット孔１８の細幅部およびその中間段部との間には、一端が上記細帯状部１１Ａに相当する部分に繋がり他端が左桟部２０に繋がった細幅のＬ形支え部２１が構成される。
【００５６】
そして、上記形状をなす打ち抜き加工時に、上記直線状スリット孔１７が上下に並列されている最下方位置に上記右桟部１９から突出して繋ぎ部２２で繋がった給電金具１２を接続するための接続部２３も形成される。
【００５７】
以上の打ち抜き加工は、順次行うようにしてもよいが、孔同士などは重なる部分もないので、打抜き加工時などの変形を低減させるため、同時に形成することが作業効率を含めて好ましい。
【００５８】
続いて、図４に示すように、上記左桟部２０を金属薄板２４から切り離した後、上記Ｌ形支え部２１における直線状スリット孔１７に平行な部分の中間位置と細帯状部１１Ａに相当する部分の上記右桟部１９に繋がる近傍位置を境として、上記一つの直線状スリット孔１７外周の上下一対の細帯状部１１Ａとなる部分ごとで、金属薄板２４の面に対して直交する相反する交互の方向に向けてアーチ状に曲げ加工を行う。
【００５９】
このように、左側部分において、Ｌ形支え部２１の中間位置を境として、細帯状部１１Ａとなる部分を、半周をなす円弧状に曲げ加工をすると、各第一連結部１１Ｃが曲げ方向側の半周を越えた位置に突出するように加工できる。
【００６０】
その後、図５に示すように、給電金具１２用の接続部２３に給電金具１２を接続固定した後、次に、図６に示すように、上記一対ごとにアーチ状に交互方向で曲げ加工されて形成された複数の細帯状部１１Ａと給電金具１２の接続部２３に固定された部分を含み絶縁性樹脂でインサート成形によりコア部１３Ａを形成して素子部分などを固定状態とする。
【００６１】
このとき、右桟部１９および左桟部２０を成形金型で位置決めして挟み、第一アンテナ素子１１となる部分、例えば細帯状部１１Ａとなる部分などを押圧ピンなどで押さえて、そのピッチや曲げ状態などを維持させつつ、絶縁樹脂でインサート成形することによって、第一アンテナ素子１１となる部分が、容易かつ強固にコア部１３Ａに固定されたものにできる。
【００６２】
なお、このインサート成形時において、曲げられている細帯状部１１Ａとなる部分は、同形のものを、一つの円周の半周ずつを構成するように曲げ形成してあるため、曲げ状態に起因して発生する応力なども右桟部１９を中心とした場合、その曲げ方向に拘わらず、同等の状態となり、このためにコア部１３Ａへの固定状態なども安定化しやすく、かつ特性的にも安定したものが容易に得られる。
【００６３】
続いて、同図６に示すように、このコア部１３Ａ外周位置に合わせてＬ形支え部２１を切断分離して左桟部２０からコア部１３Ａを切り離すと共に、細帯状部１１Ａが繋がった右桟部１９は、細帯状部１１Ａ同士がメアンダ状となるように、直線状スリット孔１７同士の上下間を、段付きスリット孔１８の右端に所定幅の残部を残すようにして、図中に一点鎖線で示す位置で金属薄板２４から切り離しを行う。
【００６４】
なお、上記段付きスリット孔１８の右端に沿って残した所定幅部分が、図１で説明した第二連結部１１Ｄとなり、細帯状部１１Ａの幅などと幅寸法を合わせておくことが好ましい。
【００６５】
また、その切断位置を可変させ、第二連結部１１Ｄの幅を調整することにより、アンテナの周波数帯域の微調整などを行ってもよい。
【００６６】
そして、最後に金属薄板２４から切り離されたコア部１３Ａで固定された第一アンテナ素子１１の外周や給電金具１２上部を覆うように、さらに絶縁樹脂によりインサート成形加工して外装部１３Ｂを形成して棒状体１３となし、図１および図２に示す第一アンテナ１４とする。
【００６７】
上記第一アンテナ１４の製造方法は、メアンダ状の第一アンテナ素子１１をコア部１３Ａの円周面に沿わせて固定された構造の第一アンテナ１４を、金属薄板２４から安定して効率よく製造できるものである。
【００６８】
また、当該製造方法は、第二連結部１１Ｄとなる部分を最終工程近くで右桟部１９そのものから切断形成して金属薄板２４から分離させるものであるため、その切断するまでは、当該部分を基準として曲げや成形などの組み立てを行うことができ、加工時における各部位の変形なども生じ難く、特に、絶縁樹脂からなるコア部１３Ａへの素子部分の固定時に安定して固定することができ、品質の優れたものを連続して生産性高く製造することができる。
【００６９】
なお、メアンダ状の第一アンテナ１４の共振周波数は、アーチ状の曲げ寸法を変えたり、上述したように第二連結部１１Ｄの幅寸法の調整を行うと微小な周波数調整が可能となる。
【００７０】
また、上記製造方法においては、第二連結部１１Ｄとしても、交互方向で曲げられたアーチ状の細帯状部１１Ａ同士の中間位置で設けられ、上記アーチ状の曲げも略半周ずつの曲げで済み、かつその位置も重なり合う部分もないので、簡単な曲げ金型構造のもので形成できるという効果も得られる。
【００７１】
（実施の形態２）
実施の形態２を用いて、本発明の特に請求項６記載の発明について説明する。
【００７２】
図７は本発明の第二の実施の形態によるアンテナにおける第一アンテナ素子を透視した要部斜視図である。
【００７３】
本実施の形態２によるものは、同図に示すように、アンテナの第一アンテナ３４における第一アンテナ素子３１が、上述した実施の形態１とは異なるメアンダ形状のものを上面視筒状に曲げて構成してあるものである。
【００７４】
この第一アンテナ素子３１も、良導電性の金属薄板からなり、下端は、給電金具３２に繋がると共に、その給電金具３２の下方には絶縁体３５を介して、図示していないが、絶縁チューブ６に覆われた第二アンテナ素子７、ストッパ８およびホルダ１０が備えられてホイップ式のアンテナとなされていることは実施の形態１と同様である。
【００７５】
そして、上記第一アンテナ素子３１は、絶縁性樹脂からなる円柱状のコア部の外周面に沿わせて固定され、さらに、それらを絶縁性樹脂からなる外装部で覆って第一アンテナ３４が構成されている。
【００７６】
なお、図７は、第一アンテナ素子３１の状態を判り易くするため、上記コア部と上記外装部とで構成される棒状体の外形のみを破線で示している。
【００７７】
そして、本実施の形態２による第一アンテナ素子３１は、上下で隣り合う細帯状部３１Ａの一方は右上がりの直線状、他方は左上がりの直線状で、それぞれの端部３１Ｂ同士を左右交互に繋げた、いわゆるジグザグ状のもので構成され、同図に一点鎖線で記載したジグザグ状の中心線を境にして、左右の部分を同図の後方側に図示していないコア部外周面に沿わせて上面視筒状に巻くように曲げ加工されて構成されている。
【００７８】
すなわち、この第一アンテナ素子３１も、略円筒状のコア部などで固定された状態では、細帯状部３１Ａ同士を繋ぐ連結部となる端部３１Ｂは、コア部外周の軸線方向となる上下方向において上記ジグザグ状の中心線とは反対側の位置で、各々三角形状に構成された各端部３１Ｂ同士が、上下方向では、互いに絶縁状態で、かつ左右交互に入れ子状態で曲げ加工がなされた形態となっている。
【００７９】
なお、各細帯状部３１Ａは傾斜状態で、かつ端部３１Ｂは三角形状であるため、メアンダ状のものであっても、各端部３１Ｂ同士を、上下方向では、互いに絶縁状態で、かつ左右交互に入れ子状態に曲げ加工できて小形化が図れることは実施の形態１の場合と同じである。
【００８０】
また、上記細帯状部３１Ａどうしの右上がり状および左上がり状の傾斜角度を共に同一角度での傾斜状態のものとしておくと、上面視円筒状に曲げ加工する際、各細帯状部３１Ａは曲がり状態が均一的となるため、円弧形状に構成し易く、かつ端部３１Ｂどうしの入れ込み状態も均一化されたものとなる。
【００８１】
そして、上記第一アンテナ素子３１もメアンダ状のものであるため、第一アンテナ３４としては、実施の形態１によるものと同様に、ヘリカルコイル式のアンテナよりも一次と三次の共振周波数間の間隔が広いものとなり、図示しない第二アンテナ９の共振周波数との共振周波数特性の合わせ込みが容易で、使用機器の電気回路とのマッチングも取り易いものにできる。
【００８２】
なお、絶縁性樹脂からなるコア部や外装部で第一アンテナ素子３１を固定することにより、第一アンテナ素子３１が強固に固定されたものにできる点、その外装部を第一アンテナ３４の外装を兼ねさせると効率良く製作できる点などは実施の形態１によるものと同じである。
【００８３】
また、実施の形態１および２によるものでは、メアンダ状のアンテナ素子として金属薄板製のものを説明したが、線状のものなどで構成してもよく、また円筒状以外の筒状に構成されてあってもよい。
【００８４】
（実施の形態３）
実施の形態３を用いて、本発明の特に請求項７記載の発明について説明する。
【００８５】
図８は本発明の第三の実施の形態によるアンテナにおける第一アンテナ素子が配された可撓性フィルムの平面図、図９は同アンテナとなされた状態での第一アンテナ素子を透視した要部断面図である。
【００８６】
実施の形態３によるものは、図８に示す略方形の絶縁樹脂製の可撓性フィルム４０上に、エッチング加工により、銅などの良導電性材料からなる導体層で第一アンテナ素子４１が形成されたものを用いて構成したものである。
【００８７】
この第一アンテナ素子４１の形状としては、上述した実施の形態１中に記載した製造工程における金属薄板の打抜き後の形状に殆ど等しい形状で形成されている。
【００８８】
つまり、その導体層で形成された第一アンテナ素子４１の形状は、図８の平面図に示すように、曲げられる前の平面状態では、平行に並んだ細帯状部４１Ａ一対の外方一端部同士が第一連結部４１Ｃで繋がれたコの字状部４１Ｅを、各開口部を一つの仮想中央直線上に合わせて上下方向に所定ピッチで、しかも、上記仮想中央直線に対し第一連結部４１Ｃ位置が左右交互になるように配置されると共に、開口方向が上下で異なる隣り合うコの字状部４１Ｅ同士の近接する他端部同士が、上記仮想中央直線に沿う直線状の第二連結部４１Ｄで連結されたメアンダ状となっている。
【００８９】
そして、上記メアンダ状の第一アンテナ素子４１の下方端部は、可撓性フィルム４０の下端部に配された給電用の電極部４３に繋がっている。
【００９０】
そして、図９に示すように、本実施の形態３による第一アンテナ４５は、上記第一アンテナ素子４１が設けられた可撓性フィルム４０を、細帯状部４１Ａの延出方向が円周面側に対応するように、かつ導体層側を内側に向けて筒状に巻かれて維持され、その外方をカバー４４で覆うと共に、上記電極部４３に給電金具４２を接続させて構成するものである。
【００９１】
このとき、可撓性フィルム４０自身は、上記実施の形態１および２の棒状体のコア部に対応するものとなる。
【００９２】
上記のように、メアンダ状の第一アンテナ素子４１が、導体層で形成してある可撓性フィルム４０を用いて上記のように第一アンテナ４５を構成する場合は、特に筒状に曲げる際の径寸法や筒形状などを容易に可変でき、外形の小型化などを容易に図ることが可能である。
【００９３】
そして、上記構成であれば、上述した各実施の形態のものと同じく、第一アンテナ素子４１の第一連結部４１Ｃ同士を、上下方向で入れ子状態に配置できると共に、完全な筒状に巻き込むことも容易で、二重に重なる部分は可撓性フィルム４０を介するため、導体層間の絶縁性の安定度合いが高くて高品質かつ小型なものを容易に実現できる。
【００９４】
なお、この可撓性フィルム４０上の第一アンテナ素子４１は、エッチング加工により形成されたもの以外に、良導電性の金属ペーストによるスクリーン印刷などにより上記第一アンテナ素子４１に応じた形状の導体層を形成したものとしても良い。
【００９５】
また、第一アンテナ素子４１の平面形状としては、上記構成のもの以外であってもよく、例えば図１０の第一アンテナ素子の平面図に示すように、実施の形態２で説明したようなジグザグ状のものでもよい。
【００９６】
つまり、同図に示すように、略方形の絶縁樹脂製の可撓性フィルム４０表面に、隣り合う細帯状部４６Ａの一方は右上がりの直線状、他方は左上がりの直線状で、それぞれの端部４６Ｂが左右交互に繋がったジグザグ状の第一アンテナ素子４６の形状としてもよい。
【００９７】
この場合でも、上記同様の方向で可撓性フィルム４０を筒状に巻くと、細帯状部４６Ａが重なることなく一周以上に亘るものを容易に実現できる。
【００９８】
なお、ジグザグ状となった細帯状部４６Ａの下端部分には、可撓性フィルム４０の端部に配された給電用の電極部４７に繋がって、そこに給電金具４２を接続させてアンテナを構成することなどは、上述したもの等と同じである。
【００９９】
【発明の効果】
以上のように本発明によるアンテナによれば、第一アンテナ素子として、メアンダ状で、各細帯状部を繋ぐ端部どうしが、固定される棒状体の軸線方向で入れ子状態に配置できるものを、棒状体の周面方向に沿わせるように曲げて固定し第一アンテナを構成するものであるため、引き伸ばし時に使用する第二アンテナの周波数特性に対し、ヘリカルコイル式のアンテナよりも共振周波数特性が近くて両者の合わせ込みなどが容易にできると共に、使用機器における電気回路とのマッチングも取り易くて感度的にも優れるものが実現できるという有利な効果が得られる。
【０１００】
また、上記細帯状部を繋ぐ端部どうしを入れ子状にして曲げ構成したものは、アンテナ長が長くでき、外形を小型化することも容易にでき、ヘリカルコイル式のアンテナと同等もしくはそれ以下の外形のものにできる。
【０１０１】
さらに、上記に説明したアンテナの製造方法を用いると、金属薄板から第一アンテナ素子を連続して生産性高く製造できるという効果も得られる。
【図面の簡単な説明】
【図１】本発明の第一の実施の形態によるアンテナにおける第一アンテナ素子を透視した要部斜視図
【図２】同アンテナ全体を示す断面図
【図３】同要部である第一アンテナの製造方法を説明する図
【図４】同要部である第一アンテナの製造方法を説明する図
【図５】同要部である第一アンテナの製造方法を説明する図
【図６】同要部である第一アンテナの製造方法を説明する図
【図７】本発明の第二の実施の形態によるアンテナにおける第一アンテナ素子を透視した要部斜視図
【図８】本発明の第三の実施の形態によるアンテナにおける第一アンテナ素子が配された可撓性フィルムの平面図
【図９】同アンテナとなされた状態での第一アンテナ素子を透視した要部断面図
【図１０】他の構成による第一アンテナ素子の平面図
【図１１】従来のアンテナの正面図
【図１２】同断面図
【符号の説明】
６  絶縁チューブ
７  第二アンテナ素子
８  ストッパ
９  第二アンテナ
１０  ホルダ
１０Ａ  中孔
１１，３１，４１，４６  第一アンテナ素子
１１Ａ，３１Ａ，４１Ａ，４６Ａ  細帯状部
１１Ｃ，４１Ｃ  第一連結部
１１Ｄ，４１Ｄ  第二連結部
１１Ｅ，４１Ｅ  コの字状部
１２，３２，４２  給電金具
１３  棒状体
１３Ａ  コア部
１３Ｂ  外装部
１４，３４，４５  第一アンテナ
１５，３５  絶縁体
１６  コの字状スリット孔
１７  直線状スリット孔
１８  段付きスリット孔
１９  右桟部
２０  左桟部
２１  Ｌ形支え部
２２  繋ぎ部
２３  接続部
２４  金属薄板
３１Ｂ，４６Ｂ  端部
４０  可撓性フィルム
４３，４７  電極部
４４  カバー
【図１】
2005033363.tif 000003
【図２】
2005033363.tif 000004
【図３】
2005033363.tif 000005
【図４】
2005033363.tif 000006
【図５】
2005033363.tif 000007
【図６】
2005033363.tif 000008
【図７】
2005033363.tif 000009
【図８】
2005033363.tif 000010
【図９】
2005033363.tif 000011
【図１０】
2005033363.tif 000012
【図１１】
2005033363.tif 000013
【図１２】
2005033363.tif 000014